(57)【要約】      （修正有）【課題】不特定多数が触れたり、把持したりする部位を直接手で触れることなく操作可能な把持フックを提供する。【解決手段】把持フック１００は、把持部１０と、把持部１０から延設されてなり、長尺物を引っ掛けることが可能なフック部２０と、フック部２０の少なくとも一部から被押圧部材を押圧可能な突起部３０を備えたことを特徴とする。かかる構成を採用することによって、吊り革やドアの取っ手に手で直接触れることなく、吊り革に掴まったり、ドアの開け閉めをしたりすることができ、また、エレベータのボタンを押すことができる。そのため、感染症にかかるリスクを大きく低減することができる。【選択図】図１
0003227039.tif 000002
【実用新案登録請求の範囲】
【請求項１】
把持部と、
前記把持部から延設されてなり、吊り革や取っ手等の長尺物を引っ掛けることが可能なフック部と、
を備えたことを特徴とする把持フック。
【請求項２】
前記フック部の少なくとも一部から被押圧部材を押圧可能な突起部を備えたことを特徴とする請求項１記載の把持フック。
【請求項３】
前記把持フックには、取付用貫通孔が設けられていることを特徴とする請求項１又は２に記載の把持フック。
【請求項４】
前記把持部には、指を置くことができる凹部を備えていることを特徴とする請求項１から３のいずれか１項に記載の把持フック。
【請求項５】
請求項１から４のいずれか１項に記載の把持フックにおいて、
金属又は炭素の微粒子を混合した導電性プラスチックで作製されていることを特徴とする把持フック。
【考案の詳細な説明】
【技術分野】
【０００１】
本考案は、把持フックに関する。
【背景技術】
【０００２】
ウイルスや細菌等による感染症が流行した場合に、不特定多数の者が触れたり、握ったりする場所を介して、接触感染を引き起こすことがある。例えば、感染者が咳やくしゃみをした手で、電車の吊り革、コンビニエンスストアの入り口のドアや飲料等を冷却する冷蔵庫のドアの取っ手又はエレベータのボタン等を触ることで、そこにウイルスや細菌が付着し、その後につり革や取っ手等に第三者が触った場合に、この第三者の手にウイルスが付着し、感染症を引き起こす可能性がある。
【考案の概要】
【考案が解決しようとする課題】
【０００３】
そこで、本考案は、上記課題を鑑みてなされたものであり、上述した不特定多数の者が触れたり、握ったりする部位を手で直接触れることなく操作可能な把持フックを提供することを目的とする。具体的には、吊り革を手で直接掴むことなく吊り革を利用したり、ドアの取っ手を手で直接掴むことなくドアを開けたり、又はエレベータの押しボタンに手で直接触れることなく押したりすることができるフックを提供することを目的とする。
【課題を解決するための手段】
【０００４】
本考案は、上述の目的を達成するために以下の手段を採った。
【０００５】
本考案にかかる把持フックは、
把持部と、
前記把持部から延設されてなり、吊り革やドアの取っ手等の長尺物を引っ掛けることが可能なフック部と、
を備えたことを特徴とする。
【０００６】
本考案にかかる把持フックは、把持部を握ることによって、フック部を手の先の近傍に配置することができる。このフック部を吊り革に引っ掛けることによって吊り革に掴まることができる。また、ドアの取っ手に引っ掛けることでドアを開けたり、閉めたりすることができる。そのため、吊り革やドアの取っ手に手で直接触れることなく、吊り革に掴まったり、ドアの開け閉めをしたりすることができる。そのため感染症防止に資するものとすることができる。
【０００７】
また、本考案にかかる把持フックにおいて、
前記フック部の少なくとも一部から被押圧部材を押圧可能な突起部を備えたことを特徴とするものであってもよい。
【０００８】
かかる構成を採用することによって、この突起部を使用して例えば、被押圧部材であるエレベータのボタン等を直接手で触れることなく、エレベータのボタンを押すことができる。そのため感染症防止に資するものとすることができる。
【０００９】
さらに、本発明にかかる把持フックにおいて、
前記把持フックには、取付用貫通孔が設けられていることを特徴とするものであってもよい。
【００１０】
かかる取付用貫通孔を設けることによって、キーホルダーやウォレットチェーン等に取り付けて持ち運ぶことができ、携帯性に優れた把持フックとすることができる。
【００１１】
さらに、本発明にかかる把持フックにおいて、
前記把持部には、指を置くことができる凹部を備えていることを特徴とするものであってもよい。
【００１２】
凹部を設けることによって、持ちやすく、かつドアを開ける際に力を入れやすい把持フックとすることができる。
【００１３】
さらに、本発明にかかる把持フックは、金属又は炭素の微粒子を混合した導電性プラスチックで作製されていることを特徴とするものであってもよい。
【００１４】
かかる構成を採用することによって、手の電気を伝達することができるので、タッチパネルにおける操作も行うことができる。
【考案の効果】
【００１５】
本考案にかかる把持フックによれば、吊り革やドアの取っ手に手で直接触れることなく、吊り革を利用したり、ドアの開け閉めをしたりすることができる。そのため、感染症にかかるリスクを大きく低減することができる。
【図面の簡単な説明】
【００１６】
【図１】図１Ａは、実施形態にかかる把持フック１００の正面図であり、図１Ｂは、図１ＡのＡ−Ａ断面図である。
【図２】図２は、実施形態にかかる把持フック１００の別実施形態を示す正面図である。
【考案を実施するための形態】
【００１７】
本考案にかかる把持フック１００の実施形態について、図面を参照しつつ詳細に説明する。なお、以下に説明する実施形態及び図面は、本考案の実施形態の一部を例示するものであり、これらの構成に限定する目的に使用されるものではなく、本考案の要旨を逸脱しない範囲において適宜変更することができる。なお、各図において対応する構成要素には同一又は類似の符号が付されている。
【００１８】
（実施形態）
実施形態にかかる把持フック１００が図１に示されている。図１Ａは、把持フック１００の正面図であり、図１Ｂは、図１ＡのＡ−Ａ断面図である。
【００１９】
本実施形態にかかる把持フック１００は、厚さが３ｍｍ〜１０ｍｍ程度のプラスチックの板を加工して形成されており、主として、人間が手で把持する把持部１０と、吊り革やドアの取っ手等の長尺物に引っ掛けるためのフック部２０と、このフック部２０の先端に突出するように形成された突起部３０を備えている。
【００２０】
把持部１０は、本実施形態においては、人間の手で掴みやすいように、指を挿入することができるリング状に形成されている。リングの大きさは特に限定するものではないが、指が２本から３本程度挿入できる大きさに作製することが好ましい。しっかりと把持することができ、かつ大きくなりすぎず携帯性に優れるからである。なお、把持部１０は、手で掴むことができる形態であれば、特にその形態は限定するものではない。例えば、図２に示すように、リングの一方側が開口して形成されたものであってもよい。また、把持部１０には、図１に示すように、指を置くことができるように外周面の一部に凹部１１を形成してもよい。このような凹部１１を設けることによって、把持フック１００をしっかり握ることができる。
【００２１】
フック部２０は、把持部１０を掴んだ際に、手の先端側に突出して配置されるように、把持部１０から延設して形成されている。吊り革やドアの取っ手等の長尺物に引っ掛けることができるように、略Ｊ字状に湾曲して形成されている。
【００２２】
突起部３０は、フック部２０の先端又は先端近傍に形成されており、エレベータのボタン等の被押圧物を押圧することができるように突出して形成されている。突起部３０は、ボタン等を押圧可能な位置であれば、フック部２０のどの位置に設けられていても良いし、その形態も限定するものではない。
【００２３】
把持フック１００は、任意の位置に取付用貫通孔４０が設けられている。このような取付用貫通孔４０を設けることによって、キーホルダーやウォレットチェーン等に取り付けて持ち運ぶことができ、携帯性に優れた把持フック１００とすることができる。
【００２４】
こうして作製された把持フック１００は、以下のようにして使用される。例えば、電車の吊り革に使用する場合、把持部１０を把持した状態でフック部２０を吊り革に引っ掛けた状態にすることによって、吊り革に直接触れることなく吊り革を使用することができる。また、コンビニエンスストアのドアや冷蔵庫のドアを開ける際には、把持部１０を把持した状態でフック部２０をドアの取っ手に引っ掛けた状態で引くことによってドアを開けることができる。さらに、エレベータのボタンを押すときには、把持部１０を把持した状態で突起部３０を使用して押すことができる。
【００２５】
以上のように、本実施形態に係る把持フック１００によれば、吊り革やドアの取っ手に手で直接触れることなく、吊り革に掴まったり、ドアの開け閉めをしたりすることができ、また、エレベータのボタンを押すことができる。そのため、感染症にかかるリスクを大きく低減することができる。
【００２６】
上述した実施形態においては、汎用のプラスチックを使用して、把持フック１００を作製したが、金属又は炭素の微粒子を混合した導電性プラスチックを使用して作製してもよい。導電性プラスチックを使用して把持フック１００を作製することによって、手の電気を通して通電することができるので、静電容量方式のタッチパネルやタッチセンサー等に使用することができるようになる。
【００２７】
なお、本考案は上述した実施形態に何ら限定されることはなく、本考案の技術的範囲に属する限り種々の態様で実施し得ることはいうまでもない。
【産業上の利用可能性】
【００２８】
上述した実施の形態で示すように、感染予防用のフックとして産業上利用することができる。
【符号の説明】
【００２９】
１０…把持部、１１…凹部、２０…フック部、３０…突起部、４０…取付用貫通孔、１００…把持フック
【図１】
0003227039.tif 000003
【図２】
0003227039.tif 000004